(57)【要約】【課題】従来のセミパーシステントスケジューリングによる通信方法では、サービングセルのアクティベートやデアクティベートに対する制御方法が規定されていないという問題点があった。【解決手段】基地局装置、および前記基地局装置から設定された複数サービングセルを同時に用いたキャリアアグリゲーションによって通信を行う移動局装置を少なくとも含む通信システムの移動局装置であって、サービングセルがデアクティベートされている場合、前記サービングセルに対して設定構成された設定構成済み上りリンクグラントを無効化し、前記サービングセルがアクティベートされている場合、前記サービングセルに対して設定構成された前記設定構成済み上りリンクグラントを有効化することを特徴とする。【選択図】図1
2019092063.tif 000002
【特許請求の範囲】
【請求項１】
基地局装置、および前記基地局装置から設定された複数サービングセルを同時に用いたキャリアアグリゲーションによって通信を行う移動局装置を少なくとも含む通信システムの移動局装置であって、
サービングセルがデアクティベートされている場合、前記サービングセルに対して構成された構成済み上りリンクグラントを無効化し、
前記サービングセルがアクティベートされている場合、前記サービングセルに対して構成された前記構成済み上りリンクグラントを有効化することを特徴とする、前記移動局装置。
【請求項２】
基地局装置、および前記基地局装置から構成された複数の異なる周波数帯域を同時に用いたキャリアアグリゲーションによって通信を行う移動局装置を少なくとも含む通信システムの移動局装置であって、
サービングセルがデアクティベートされた場合、前記サービングセルに対して構成された構成済み上りリンクグラントを保留し、
サービングセルがアクティベートされた場合、前記サービングセルに対して保留された構成済み上りリンクグラントを再開させることを特徴とする、前記移動局装置。
【請求項３】
基地局装置、および前記基地局装置から設定された複数の異なる周波数帯域を同時に用いたキャリアアグリゲーションによって通信を行う移動局装置を少なくとも含む通信システムの移動局装置であって、
サービングセルがデアクティベートされた場合、前記サービングセルに対して構成済み下りリンクアサインメントに基づくＤＬ−ＳＣＨおよびＰＤＳＣＨの受信を行わず、
前記サービングセルがアクティベートされた場合、前記サービングセルに対して設定された構成済み下りリンクアサインメントに基づくＤＬ−ＳＣＨおよびＰＤＳＣＨの受信を行うことを特徴とする、前記移動局装置。
【発明の詳細な説明】
【技術分野】
【０００１】
移動体通信システムにおける移動局装置および基地局設置に関する。
【背景技術】
【０００２】
従来より、標準化団体３ＧＰＰ（3rd Generation Partnership Project）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以下、「ＥＵＴＲＡ」と呼称する。）と、更にその発展形であるＡｄｖａｎｃｅｄ  ＥＵＴＲＡ（「ＬＴＥ−Ａｄｖａｎｃｅｄ」とも呼称される。）の仕様規格化が行われ、それを利用した移動体通信の商用化が各国で行われている（非特許文献１）。また近年、３ＧＰＰでは第５世代移動通信方式の技術として、高信頼性と低遅延を実現するＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）が注目されつつある。
【０００３】
スケジューリング（通信リソース割り当て）技術の一つとして、セミパーシステントスケジューリング（ＳＰＳ：Ｓｅｍｉ−Ｐｅｒｓｉｓｔｅｎｔ  Ｓｃｈｅｄｕｌｉｎｇ）による通信リソースの周期的な割り当て方法がある。これは、サブフレーム毎に通信リソースの割り当てをグラントと呼ばれるシグナリングで行うダイナミックスケジューリングとは異なり、予め決められた時間間隔で通信リソースの割り当てを行うことにより、グラントを省くことができ、制御信号によるオーバヘッドを少なくして効率的な通信を可能とする技術である。従来のＬＴＥおよびＬＴＥ−Ａｄｖａｎｃｅｄでも採用されており、音声サービスなどリアルタイム性を要求される通信に利用されてきたが、第５世代移動通信方式でもＳＰＳのさらなる進化を目的とした検討および仕様規格化が進んでいる。また、上りリンクのＳＰＳを応用し、基地局装置から移動局装置に対して割り当てられる上りリンクグラントがなくても、移動局装置から基地局装置に上りリンクデータ送信が可能となる上りリンクグラントフリー（ＧＦ：Ｇｒａｎｔ  Ｆｒｅｅ）による通信方式についても、検討および仕様規格化が進んでいる。
【先行技術文献】
【非特許文献】
【０００４】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 14)"  3GPP TS 36.300 V14.3.0 (2017-06)
【発明の概要】
【発明が解決しようとする課題】
【０００５】
しかしながら、従来のセミパーシステントスケジューリングおよび上りリンクグラントフリーによる通信方法では、サービングセルのアクティベートやデアクティベートに対する制御方法が規定されていないという問題点があった。
【０００６】
本発明は、上記課題に鑑み、サービングセルのアクティベートやデアクティベートに対するセミパーシステントスケジューリングおよび上りリンクグラントフリーの制御手段を備えた通信装置を提供することを目的とする。
【課題を解決するための手段】
【０００７】
（１）この発明は上述した課題を解決するためになされたもので、本発明の一態様による移動局装置は、基地局装置、および前記基地局装置から設定された複数サービングセル
を同時に用いたキャリアアグリゲーションによって通信を行う移動局装置を少なくとも含む通信システムの移動局装置であって、サービングセルがデアクティベートされている場合、前記サービングセルに対して設定構成された設定構成済み上りリンクグラントを無効化し、前記サービングセルがアクティベートされている場合、前記サービングセルに対して設定構成された前記設定構成済み上りリンクグラントを有効化することを特徴とする。
【０００８】
（２）また、本発明の一態様による移動局装置は、基地局装置、および前記基地局装置から構成された複数の異なる周波数帯域を同時に用いたキャリアアグリゲーションによって通信を行う移動局装置を少なくとも含む通信システムの移動局装置であって、サービングセルがデアクティベートされた場合、前記サービングセルに対して構成された構成済み上りリンクグラントを保留し、サービングセルがアクティベートされた場合、前記サービングセルに対して保留された構成済み上りリンクグラントを再開させることを特徴とする。
【０００９】
（３）また、本発明の一態様による移動局装置は、基地局装置、および前記基地局装置から設定された複数の異なる周波数帯域を同時に用いたキャリアアグリゲーションによって通信を行う移動局装置を少なくとも含む通信システムの移動局装置であって、サービングセルがデアクティベートされた場合、前記サービングセルに対して構成済み下りリンクアサインメントに基づくＤＬ−ＳＣＨおよびＰＤＳＣＨの受信を行わず、前記サービングセルがアクティベートされた場合、前記サービングセルに対して設定された構成済み下りリンクアサインメントに基づくＤＬ−ＳＣＨおよびＰＤＳＣＨの受信を行うことを特徴とする。
【発明の効果】
【００１０】
この発明によれば、サービングセルのアクティベートやデアクティベートに対するセミパーシステントスケジューリングの制御手段を備えた通信装置を提供することができる。
【図面の簡単な説明】
【００１１】
【図１】本発明における、移動局装置内のＭＡＣエンティティ構成の一例を示す図である。
【図２】本発明における、基地局装置の構成の一例を示す図である。
【図３】本発明における、移動局装置の上りリンクＳＰＳ・ＧＦ状態を表す図である。。
【図４】本発明における、移動局装置の上りリンクＳＰＳ・ＧＦ状態の遷移の一例を表す図である。
【図５】本発明における、移動局装置の処理の流れの一例を表す図である。
【発明を実施するための形態】
【００１２】
（第１の実施形態）
以下、図面を参照して、本発明の第１の実施形態について説明する。図１は本実施形態における移動局装置内のＭＡＣエンティティの構成の一例である。図１において、１０１は制御部であり、すべての構成部を制御する。１０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。１０３は上りリンクＰＤＵ（Ｐｒｏｔｏｃｏｌ  Ｄａｔａ  Ｕｎｉｔ）構成部であり、論理チャネルを通じて受信した上位レイヤからの上りリンク送信データにヘッダ付加や、複数の論理チャネルのデータの結合などを行い、上りＰＤＵを構成する。１０４は送信処理部であり、上りＰＤＵ構成部１０３が作成した上りＰＤＵに誤り訂正符号化処理や変調処理などを行い、上りリソース管理部１０６から指示された上りリンクＳＰＳリソースにマッピングを行う。１０５は上りリンクＳＰＳ・ＧＦ状態管理部であり、上り
リンクＳＰＳ・ＧＦの状態を管理し、上りリンクＳＰＳ・ＧＦに関連するイベントが発生した場合に、上りリンクＳＰＳ・ＧＦの状態を変化させる。上りリンクリソース管理部１０６は、基地局装置から割り当てられた上りリンクリソースの管理を行い、上りリンクＰＤＵと送信リソースのマッピングの制御を行う。また、上りリンクＳＰＳ・ＧＦ状態管理部１０５で管理されている上りリンクＳＰＳ・ＧＦ状態に従って、上りリンクＳＰＳ・ＧＦリソースの設定や、ｃｏｎｆｉｇｕｒｅｄ  ｕｐｌｉｎｋ  ｇｒａｎｔの有効化・無効化を行う。受信処理部１０７は、無線インタフェース部１１０からの受信信号に対して復調や誤り訂正符号の復号を行い、下りリンクＰＤＵの再構成を行う。下りリンクＰＤＵ分離部１０８は、受信処理部１０７から受信した下りリンクＰＤＵから一つもしくは複数のデータに分離し、ユーザデータや制御データは上位レイヤインタフェース部１０２を介して上位レイヤに送り、ＣＥ（Ｃｏｎｔｒｏｌ  Ｅｌｅｍｅｎｔ）データは制御部１０１に送る。１１０は下りリンクリソース管理部であり、無線インタフェース部１０９は、基地局装置と無線信号の送受信を行う。
【００１３】
図２は本実施形態における基地局装置内のＭＡＣエンティティ構成の一例である。図２において、２０１は制御部であり、すべての構成部を制御する。２０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。２０３は下りリンクＰＤＵ構成部であり、論理チャネルを通じて受信した上位レイヤからの下りリンク送信データに対して、ヘッダ付加や複数の論理チャネルのデータの結合などを行い、下りリンクＰＤＵを構成する。２０４は送信処理部であり、下りリンクＰＤＵ構成部２０３が作成した下りリンクＰＤＵに対して、下りリンクリソース管理部２０５に従って誤り訂正符号化処理や変調処理、および下りリンクリソースにマッピングを行って、無線インタフェース部２０９を介して移動局装置に送信する。２０５は下りリソース管理部であり、移動局装置に割り当てる下りリンクリソースの管理やスケジューリングを行う。上りリンクリソース管理部２０６は、移動局装置に割り当てる上りリンクリソースの設定および管理を行う。受信処理部２０７は、無線インタフェース部２１０からの受信信号に対して復調や誤り訂正符号の復号を行い、上りリンクＰＤＵの再構成を行う。上りリンクＰＤＵ分離部２０８は、受信処理部２０７が再構成した上りリンクＰＤＵから一つもしくは複数のデータに分離し、ユーザデータや制御データは上位レイヤインタフェース部２０２を介して上位レイヤに送る。無線インタフェース部２０９は、移動局装置と無線信号の送受信を行う。
【００１４】
図３は、上りリンクＳＰＳ・ＧＦ状態記憶部１０５で記憶されている、移動局装置の上りリンクＳＰＳ・ＧＦ状態を示す表である。図３のように、上りリンクＳＰＳ・ＧＦは最大４つの状態で管理される。ｕｎｃｏｎｆｉｇｕｒｅｄ状態は、ＳＰＳ・ＧＦが未設定を示す。ｄｅａｃｔｉｖａｔｅｄ状態は、ｃｏｎｆｉｇｕｒｅｄ  ｕｐｌｉｎｋ  ｇｒａｎｔは設定されているものの、無効化している状態を示す。ａｃｔｉｖａｔｅｄ状態は、ｃｏｎｆｉｇｕｒｅｄ  ｕｐｌｉｎｋ  ｇｒａｎｔが有効化され、上りリンクＳＰＳ・ＧＦの送信が行われている状態を示す。ｓｕｓｐｅｎｄ状態は、ｃｏｎｆｉｇｕｒｅｄ  ｕｐｌｉｎｋ  ｇｒａｎｔの有効状態を保留し、上りリンクＳＰＳ・ＧＦの送信を一時停止している状態を示す。
【００１５】
図４（ａ）および（ｂ）は、本実施形態における、上りリンクＳＰＳ・ＧＦ関連イベント発生時の上りリンクＳＰＳ・ＧＦ状態の変化を図示している。図４（ａ）は、上りリンクＳＰＳ・ＧＦ状態遷移表であり、図４（ａ）の最上行に記載されている状態のときに、図４（ａ）の最左列に記載されている上りリンクＳＰＳ・ＧＦに関連するイベントが発生した場合、そのときの状態の列と発生したイベントの行が交差する升目に記載されている状態に遷移することを表している。またハイフンで示される升目は、状態遷移が起こらないことを表している。図４（ｂ）は、図４（ａ）を図式化した上りリンクＳＰＳ・ＧＦ状
態遷移図であり、円が状態を表し、矢印が上りリンクＳＰＳ・ＧＦ関連イベントによって状態がどのように変化するかを示している。なお、本実施形態においては、図３のｓｕｓｐｅｎｄ状態は使用されない。
【００１６】
図５は本実施形態における、移動局装置および基地局装置間のメッセージの流れと、上りリンクＳＰＳ・ＧＦ状態およびセカンダリセル（ＳＣｅｌｌ）の状態の変化を表している。なお、図５の各メッセージは、基地局装置から移動局装置に送信され、そのメッセージに対する処理結果を含むレスポンスを移動局装置から基地局装置へ送信されるものもあるが、図５ではそのレスポンスを省略して図示している。まず、初期状態としては、上りリンクＳＰＳ・ＧＦ状態、およびセカンダリセルともに未設定状態（ｕｎｃｏｎｆｉｇｕｒｅｄ）である。次にメッセージ５０１として、ＳＣｅｌｌ  ａｄｄｉｔｉｏｎが基地局装置から移動局装置に送信され、移動局装置はメッセージ５０１の内容にしたがい、ＳＣｅｌｌに関する設定を行う。このとき、ＳＣｅｌｌの状態は、構成済みではあるがまだ有効化されていないので無効状態となる（ｃｏｎｆｉｇｕｒｅｄ  ｂｕｔ  ｄｅａｃｔｉｖａｔｅｄ）。次に、ＳＰＳ／ＧＦ  ａｄｄｉｔｉｏｎが基地局装置から移動局装置に送信され（メッセージ５０２）、移動局装置はメッセージ５０２の内容に従い、ＳＣｅｌｌのＵＬ−ＳＣＨ上にＳＰＳで送信するための上りリンクリソース、およびｃｏｎｆｉｇｕｒｅｄ  ｕｐｌｉｎｋ  ｇｒａｎｔを設定する。しかし、ＳＣｅｌｌがまだ有効化されていないので、ｃｏｎｆｉｇｕｒｅｄ  ｕｐｌｉｎｋ  ｇｒａｎｔも有効化されておらず、上りリンクＳＰＳの状態はｄｅａｃｔｉｖａｔｅｄとなる。次に、基地局装置から移動局装置にＳＣｅｌｌ  ａｃｔｉｖａｔｉｏｎが送信される（メッセージ５０３）。移動局装置は、メッセージ５０３に従いＳＣｅｌｌを有効状態（ｃｏｎｆｉｇｕｒｅｄ  ａｎｄ  ａｃｔｉｖａｔｅｄ）とする。また上りリンクＳＰＳ状態も、ｄｅａｃｔｉｖａｔｅｄからａｃｔｉｖａｔｅｄとなり、ｃｏｎｆｉｇｕｒｅｄ  ｕｐｌｉｎｋ  ｇｒａｎｔが有効化され、ＳＰＳ送信が行われる。次に、基地局装置から移動局装置にＳＣｅｌｌ  ｄｅａｃｔｉｖａｔｉｏｎが送信される（メッセージ５０４）。移動局装置は、メッセージ５０４に従いＳＣｅｌｌを無効状態（ｃｏｎｆｉｇｕｒｅｄ  ｂｕｔ  ｄｅａｃｔｉｖａｔｅｄ）にする。また上りリンクＳＰＳ状態も、ａｃｔｉｖａｔｅｄからｄｅａｃｔｉｖａｔｅｄとなり、ｃｏｎｆｉｇｕｒｅｄ  ｕｐｌｉｎｋ  ｇｒａｎｔが無効化され、ＳＰＳ送信が停止される。次に、基地局装置から移動局装置に再びＳＣｅｌｌ  ａｃｔｉｖａｔｉｏｎが送信される（メッセージ５０５）。移動局装置は、メッセージ５０５に従いＳＣｅｌｌを再び有効状態（ｃｏｎｆｉｇｕｒｅｄ  ａｎｄ  ａｃｔｉｖａｔｅｄ）とする。また上りリンクＳＰＳ状態も、ｄｅａｃｔｉｖａｔｅｄからａｃｔｉｖａｔｅｄとなり、ｃｏｎｆｉｇｕｒｅｄ  ｕｐｌｉｎｋ  ｇｒａｎｔが再び有効化され、上りリンクＳＰＳ送信が行われる。次に、基地局装置から移動局装置にＳＰＳ  ｒｅｌｅａｓｅが送信される（メッセージ５０６）。移動局装置は、メッセージ５０６に従い、上りリンクＳＰＳ送信を停止し、上りリンクＳＰＳに関する上りリンクリソース設定、およびｃｏｎｆｉｇｕｒｅｄ  ｕｐｌｉｎｋ  ｇｒａｎｔを消去して、上りリンクＳＰＳ状態をａｃｔｉｖａｔｅｄからｕｎｃｏｎｆｉｇｕｒｅｄ��する。
【００１７】
以上説明したとおり、本発明の第１の実施形態によれば、ＳＣｅｌｌのａｃｔｉｖａｔｉｏｎおよびｄｅａｃｔｉｖａｔｉｏｎ時に上りリンクＳＰＳ・ＧＦを適切に制御することができ、ＳＣｅｌｌ上での上りリンクＳＰＳ・ＧＦ送信が可能となる。
【００１８】
なお、以上の説明では、上りリンクＳＰＳ送信の場合の例を説明したが、これに限るものではなく、上りリンクグラントフリー（ＧＦ）送信についても適用可能である。
【００１９】
（第２の実施形態）
第１の実施形態では、上りリンクＳＰＳの状態を状態遷移表にしたがって遷移することにより上りリンクＳＰＳ送信制御を行ったが、この状態遷移表を用いずに上りリンクＳＰ
Ｓの制御を行う方法を、第２の実施形態として説明する。
【００２０】
本発明の第２の実施形態を適用した場合の、移動局装置のＭＡＣエンティティによる上りリンクＳＰＳの制御方法を説明する。サービングセルがすでにアクティベートされているか、もしくはサービングセルがデアクティベートされていてサービングセルをアクティベートするＡｃｔｉｖａｔｉｏｎ／Ｄｅａｃｔｉｖａｔｉｏｎ  ＭＡＣ  ＣＥ（Ｃｏｎｔｒｏｌ  Ｅｌｅｍｅｎｔ）を受信した場合、ＭＡＣエンティティは上りリンクＳＰＳ送信用に構成済みの上りリンクグラントをアクティベートする。また、サービングセル上に設定された上りリンクＳＰＳリリースに伴うＳＰＳ  ｃｏｎｆｉｒｍａｔｉｏｎ  ＭＡＣ  ＣＥの初回送信後は、そのサービングセル上に設定された構成済みの上りリンクグラントをデアクティベートする。また、サービングセルをデアクティベートするＡｃｔｉｖａｔｉｏｎ／Ｄｅａｃｔｉｖａｔｉｏｎ  ＭＡＣ  ＣＥを受信した後、もしくはサービングセルに対して設定されたｓＣｅｌｌＤｅａｃｔｉｖａｔｉｏｎＴｉｍｅｒが満了した場合も、そのサービングセル上に設定された構成済みの上りリンクグラントをデアクティベートする。
【００２１】
以上説明したとおり、本発明の第２の実施形態によれば、サービングセルのアクティベートおよびデアクティベート時に上りリンクＳＰＳ送信を適切に制御することが可能となる。
【００２２】
なお、以上の説明では、上りリンクＳＰＳ送信の場合の例を説明したが、これに限るものではなく、上りリンクグラントフリー（ＧＦ）送信についても適用可能である。
【００２３】
（第３の実施形態）
第２の実施形態では、サービングセルのアクティベートおよびデアクティベート時の上りリンクＳＰＳの制御方法を説明したが、物理レイヤのシグナリング（Ｌ１シグナリング，ＤＣＩ（Ｄｏｗｎｌｉｎｋ  Ｃｏｎｔｒｏｌ  Ｉｎｆｏｒｍａｔｉｏｎ），ＰＤＣＣＨ（Ｐｈｙｓｉｃａｌ  Ｄｏｗｎｌｉｎｋ  Ｃｏｎｔｒｏｌ  ＣＨａｎｎｅｌ）とも呼ばれる）で上りリンクＳＰＳのアクティベートを行う場合では、サービングセルのデアクティベートに伴い上りリンクＳＰＳもデアクティベートされた場合、サービングセルが再びアクティベートされても上りリンクＳＰＳがアクティベートされないという問題がある。この問題に対する解決方法を、第３の実施形態として説明する。
【００２４】
ＭＡＣエンティティは、サービングセルをデアクティベートするＡｃｔｉｖａｔｉｏｎ／Ｄｅａｃｔｉｖａｔｉｏｎ  ＭＡＣ  ＣＥを受信した後、もしくはサービングセルに対して設定されたｓＣｅｌｌＤｅａｃｔｉｖａｔｉｏｎＴｉｍｅｒが満了した場合、上りリンクＳＰＳ送信用に構成された上りリンクグラントを保留する。また、上りリンクＳＰＳ送信用に構成された上りリンクグラントが保留中に、サービングセルをアクティベートするＡｃｔｉｖａｔｉｏｎ／Ｄｅａｃｔｉｖａｔｉｏｎ  ＭＡＣ  ＣＥを受信した場合、保留されている構成済み上りリンクグラントを再開する。
【００２５】
以上、説明したとおり、本実施形態によれば、物理レイヤのシグナリングで上りリンクＳＰＳのアクティベートを行う場合でも、サービングセルのデアクティベートで上りリンクＳＰＳグラントを保留し、サービングセルが再びアクティベートされたときに上りリンクＳＰＳの構成済み上りリンクグラントを再開できる。
【００２６】
なお、以上の説明では、上りリンクＳＰＳ送信の場合の例を説明したが、これに限るものではなく、上りリンクグラントフリー（ＧＦ）送信についても適用可能である。
【００２７】
（第４の実施形態）
下りリンクＳＰＳ受信について、本発明を適用した場合の例を、第４の実施形態として説明する。
【００２８】
あるサービングセルがデアクティベートされている場合、移動局装置のＭＡＣエンティティは、そのサービングセル上のＤＬ−ＳＣＨ（Ｄｏｗｎｌｉｎｋ  Ｓｈａｒｅｄ  Ｃｈａｎｎｅｌ）を受信しないようにしてもよい。この場合、構成済みの下りリンクアサイメントに基づくリソースにおいて、ＤＬ−ＳＣＨは移動局装置のＭＡＣエンティティによって受信されない。また、あるサービングセルがデアクティベートされている場合、移動局装置のＭＡＣエンティティは、そのサービングセル上のＰＤＳＣＨ（Ｐｈｙｓｉｃａｌ  Ｄｏｗｎｌｉｎｋ  Ｓｈａｒｅｄ  Ｃｈａｎｎｅｌ）を受信しないようにしてもよい。この場合、構成済みの下りリンクアサイメントに基づくＰＤＳＣＨは、移動局装置のＭＡＣエンティティによって受信されない。また、サービングセルがすでにアクティベートされているか、もしくはサービングセルがデアクティベートされていてサービングセルをアクティベートするＡｃｔｉｖａｔｉｏｎ／Ｄｅａｃｔｉｖａｔｉｏｎ  ＭＡＣ  ＣＥ（Ｃｏｎｔｒｏｌ  Ｅｌｅｍｅｎｔ）を受信した場合、ＭＡＣエンティティはそのサービングセル上の下りリンクＳＰＳ受信用に構成済みの下りリンクアサインメントをアクティベートする。別の例として、サービングセルをアクティベートするＡｃｔｉｖａｔｉｏｎ／Ｄｅａｃｔｉｖａｔｉｏｎ  ＭＡＣ  ＣＥ（Ｃｏｎｔｒｏｌ  Ｅｌｅｍｅｎｔ）を受信した場合、ＭＡＣエンティティはそのサービングセル上の下りリンクＳＰＳ受信用に構成済みの下りリンクアサインメントをアクティベートする。
【００２９】
以上、説明したとおり、本実施形態を適用すれば、サービングセルのアクティベートおよびデアクティベート時に下りリンクＳＰＳ通信を適切に制御することが可能となる。
【００３０】
なお、以上で説明した移動局装置および基地局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００３１】
また、「コンピュータシステム」は、ＷＷＷシステムを利用している場合であれば、ホームページ提供環境（あるいは表示環境）も含むものとする。
【００３２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３３】
また、移動局装置および基地局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００３４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００３５】
本発明は、無線での通信システムや通信装置に用いて好適である。
【符号の説明】
【００３６】
１０１…制御部
１０２…上位レイヤインタフェース部
１０３…上りリンクＰＤＵ構成部
１０４…送信処理部
１０５…上りリンクＳＰＳ・ＧＦ状態保持部
１０６…上りリンクリソース管理部
１０７…受信処理部
１０８…下りリンクＰＤＵ分離部
１０９…無線インタフェース部
１１０…下りリンクリソース管理部
２０１…制御部
２０２…上位レイヤインタフェース部
２０３…下りリンクＰＤＵ構成部
２０４…送信処理部
２０５…下りリンクリソース管理部
２０６…上りリンクリソース管理部
２０７…受信処理部
２０８…上りリンクＰＤＵ分離部
２０９…無線インタフェース部
【図１】
2019092063.tif 000003
【図２】
2019092063.tif 000004
【図３】
2019092063.tif 000005
【図４】
2019092063.tif 000006
【図５】
2019092063.tif 000007